(57)【要約】      （修正有）【課題】紙幣処理装置における防盗インクＩＤの認識及び通知を迅速に実行できる紙幣処理装置及びこれを含む紙幣処理装置を提供する。【解決手段】紙幣処理装置は、破壊衝撃が検知される場合に紙幣を汚損する。紙幣処理装置は、アドレス情報を保持すると共に紙幣を収納する紙幣収納庫と、破壊衝撃事象を検知したときに衝撃信号を生成する衝撃検知部と、紙幣汚損機構により紙幣収納庫毎に、紙幣を汚損する汚損標識の標識ＩＤ情報を保持する標識ＩＤ保持部と、紙幣汚損機構により、衝撃信号に応じて汚損標識を紙幣へ付着させる場合に、アドレス情報及び標識ＩＤ情報を含む状況情報を生成しかつ状況情報を保持する状況情報保持部と、を有する。【選択図】図２
2019125159.tif 000002
【特許請求の範囲】
【請求項１】
破壊衝撃が検知される場合に紙幣を汚損する紙幣汚損機構を有する紙幣処理装置であって、
自身のアドレス情報を保持すると共に紙幣を収納する紙幣収納庫と、
破壊衝撃事象を検知したときに衝撃信号を生成する衝撃検知部と、
前記紙幣汚損機構により前記紙幣収納庫毎に、前記紙幣を汚損する汚損標識の標識ＩＤ情報を保持する標識ＩＤ保持部と、
前記紙幣汚損機構により、前記衝撃信号に応じて前記汚損標識を前記紙幣へ付着させる場合に、前記アドレス情報及び前記標識ＩＤ情報を含む状況情報を生成しかつ前記状況情報を保持する状況情報保持部と、
を有することを特徴とする紙幣処理装置。
【請求項２】
前記標識ＩＤ保持部は、前記紙幣収納庫毎に設けられていることを特徴とする請求項１に記載の紙幣処理装置。
【請求項３】
前記標識ＩＤ保持部は、前記汚損標識と共に前記紙幣収納庫に着脱自在に設けられていることを特徴とする請求項１又は２に記載の紙幣処理装置。
【請求項４】
前記状況情報は、前記衝撃信号の生成時刻を含むことを特徴とする請求項１乃至３のいずれか一項に記載の紙幣処理装置。
【請求項５】
前記状況情報保持部は、前記状況情報を、通信回線を介する電気信号として又は物媒体を介して出力する出力部を含むことを特徴とする請求項１乃至４のいずれか一項に記載の紙幣処理装置。
【請求項６】
前記衝撃検知部は、装置筐体内部において前記紙幣収納庫から離れて設けられた振動センサを含むことを特徴とする請求項１乃至５のいずれか一項に記載の紙幣処理装置。
【請求項７】
前記汚損標識は防盗インクであり、前記標識ＩＤ保持部は前記防盗インクを保持するインクカートリッジに設けられていることを特徴とする請求項１乃至６のいずれか一項に記載の紙幣処理装置。
【請求項８】
前記紙幣収納庫、 前記衝撃検知部、前記紙幣汚損機構及び前記状況情報保持部を駆動するための電力を供給するバックアップ電源を有することを特徴とする請求項１乃至７のいずれか一項に記載の紙幣処理装置。
【請求項９】
自身のアドレス情報を保持すると共に紙幣を収納する紙幣収納庫と、
破壊衝撃事象を検知したときに衝撃信号を生成する衝撃検知部と、
前記紙幣汚損機構により前記紙幣収納庫毎に、前記紙幣を汚損する汚損標識の標識ＩＤ情報を保持する標識ＩＤ保持部と、
前記紙幣汚損機構により、前記衝撃信号に応じて前記汚損標識を前記紙幣へ付着させる場合に、前記アドレス情報及び前記標識ＩＤ情報を含む状況情報を生成しかつ前記状況情報を保持する状況情報保持部と、を有する紙幣処理装置と、
前記状況情報保持部からの前記状況情報を、通信回線を介して電気信号として受信して受け付ける監視サーバと、
を有することを特徴とする紙幣処理システム。
【請求項１０】
前記標識ＩＤ情報は、精査処理が行われる場合に前記監視サーバに出力することを特徴とする請求項９に記載の紙幣処理システム。
【請求項１１】
前記通信回線が遮断している場合に、前記状況情報保持部により、前記通信回線が回復した後に、前記状況情報を前記監視サーバに出力することを特徴とする請求項９又は１０に記載の紙幣処理システム。
【請求項１２】
紙幣を収納する紙幣収納庫と、
前記紙幣収納庫を識別するアドレス情報と、前記紙幣を汚損する汚損標識の標識ＩＤ情報とを保持する保持部とを有し、
前記アドレス情報と前記標識ＩＤ情報とは対応付けられていることを特徴とする紙幣処理装置。
【請求項１３】
前記紙幣処理装置は、さらに、
前記汚損標識を前記紙幣へ付着させる紙幣汚損機構を備え、
前記紙幣汚損機構が作動した場合又は破壊衝撃事象が検知された場合、前記汚損標識が付着した前記紙幣を収納する前記紙幣収納庫の前記アドレス情報と、該紙幣に付着した該汚損標識の前記標識ＩＤ情報とは、汚損の状況を示す状況情報として抽出されることを特徴とする、請求項１２に記載の紙幣処理装置。
【請求項１４】
前記汚損標識は、前記紙幣収納庫内に備わり、
精査処理が行われる場合、
前記汚損標識毎の前記標識ＩＤ情報と、該汚損標識と対応する前記紙幣収納庫毎のアドレス情報とは、前記状況情報として抽出される、請求項１２に記載の紙幣処理装置。
【請求項１５】
前記状況情報には、前記紙幣処理装置を識別する装置ＩＤ情報が含まれていることを特徴とする、請求項１３又は１４に記載の紙幣処理装置。
【請求項１６】
サーバと、
紙幣処理装置と、を備え、
前記紙幣処理装置は、紙幣を収納する紙幣収納庫を備え、
前記サーバは、前記紙幣処理装置から通信回線を介して、前記紙幣収納庫を識別するアドレス情報と、前記紙幣を汚損する汚損標識の標識ＩＤ情報とを受信し、保持する保持部を備え、
前記保持部が保持する前記アドレス情報と前記標識ＩＤ情報とは対応付けられていることを特徴とする紙幣処理システム。
【発明の詳細な説明】
【技術分野】
【０００１】
本発明は、紙幣処理装置及びこれを含む紙幣処理システムに関する。
【背景技術】
【０００２】
金融機関の現金自動預け払い機（ＡＴＭ：Automated Teller Machine）及び現金自動支払い機（ＣＤ：Cash Dispenser）に代表される紙幣処理装置が知られている。なかには、紙幣処理装置毎盗難に遭い、なんらかの形で別のＡＴＭに盗難紙幣が投入されることが特に多く発生している。そのため紙幣処理装置が盗難によって不正に開けられた場合、紙幣に防盗インクを噴射させる機能を持たせている紙幣処理装置もある。また、ＡＴＭにおいて、防盗インクが付着した紙幣（汚損券）が使用されると、いつ使用され、どこで盗難に遭った紙幣なのかを特定することが可能になってきた（特許文献１）。
【先行技術文献】
【特許文献】
【０００３】
【特許文献１】国際公開WO2017134904号公報
【発明の概要】
【発明が解決しようとする課題】
【０００４】
従来技術おいては、或る銀行のＡＴＭにて汚損券が検出された場合、汚損券の汚損標識である防盗インクの特徴を割り出し、関係銀行等に確認して、汚損券を警察等へ通報することが必要である。しかしながら、従来では防盗インクの特徴の確認のために銀行員等の作業が膨大かつ煩雑になるという問題があった。
【０００５】
本発明は、上述の点に鑑みてなされたものであり、紙幣処理装置における防盗インクの特徴の認識及び通知を迅速に実行できる紙幣処理装置及びこれを含む紙幣処理システムを提供することを目的とする。
【課題を解決するための手段】
【０００６】
本願発明による紙幣処理装置は、破壊衝撃が検知される場合に紙幣を汚損する紙幣汚損機構を有する紙幣処理装置であって、
自身のアドレス情報を保持すると共に紙幣を収納する紙幣収納庫と、
破壊衝撃事象を検知したときに衝撃信号を生成する衝撃検知部と、
前記紙幣汚損機構により前記紙幣収納庫毎に、前記紙幣を汚損する汚損標識の標識ＩＤ情報を保持する標識ＩＤ保持部と、
前記紙幣汚損機構により、前記衝撃信号に応じて前記汚損標識を前記紙幣へ付着させる場合に、前記アドレス情報及び前記標識ＩＤ情報を含む状況情報を生成しかつ前記状況情報を保持する状況情報保持部と、
を有することを特徴とする。
【０００７】
本願発明による紙幣処理システムは、自身のアドレス情報を保持すると共に紙幣を収納する紙幣収納庫と、
破壊衝撃事象を検知したときに衝撃信号を生成する衝撃検知部と、
前記紙幣汚損機構により前記紙幣収納庫毎に、前記紙幣を汚損する汚損標識の標識ＩＤ情報を保持する標識ＩＤ保持部と、
前記紙幣汚損機構により、前記衝撃信号に応じて前記汚損標識を前記紙幣へ付着させる場合に、前記アドレス情報及び前記標識ＩＤ情報を含む状況情報を生成しかつ前記状況情報を保持する状況情報保持部と、を有する紙幣処理装置と、
前記状況情報保持部からの前記状況情報を、通信回線を介して電気信号として受信して受け付ける監視サーバと、
を有することを特徴とする。
【０００８】
本願発明による更なる態様の紙幣処理装置は、紙幣を収納する紙幣収納庫と、
前記紙幣収納庫を識別するアドレス情報と、前記紙幣を汚損する汚損標識の標識ＩＤ情報とを保持する保持部とを有し、
前記アドレス情報と前記標識ＩＤ情報とは対応付けられていることを特徴とする。
【０００９】
本願発明による更なる態様の紙幣処理システムは、サーバと、
紙幣処理装置と、を備え、
前記紙幣処理装置は、紙幣を収納する紙幣収納庫を備え、
前記サーバは、前記紙幣処理装置から通信回線を介して、前記紙幣収納庫を識別するアドレス情報と、前記紙幣を汚損する汚損標識の標識ＩＤ情報とを受信し、保持する保持部を備え、
前記保持部が保持する前記アドレス情報と前記標識ＩＤ情報とは対応付けられていることを特徴とする。
【００１０】
本発明の紙幣処理装置及び紙幣処理システムによれば、紙幣収納庫を識別するアドレス情報と防盗インクの特徴（標識ＩＤ情報）とが対応付けられて紙幣処理装置及び紙幣処理システム内において保持されているので、標識ＩＤ情報の容易に確認でき、中央銀行等の上位機関へ迅速に通知できる。また、標識ＩＤ情報を、画面の表示あるいはジャーナルの印字等で内容を確認して容易に取得することができる。
【図面の簡単な説明】
【００１１】
【図１】本発明の実施例に係る紙幣処理装置の構成を示すブロック図である。
【図２】実施例に係る紙幣処理装置のＡＴＭの構成を示す図である。
【図３】本発明に係る状況情報の例を示すデータ表である。
【図４】本発明に係る汚損状態等を含む状況情報の他の例を示すデータ表である。
【図５】本発明に係る紙幣収納庫を識別するアドレス情報と防盗インクの特徴（標識ＩＤ情報）とが対応付けられた状況情報の例を示すデータ表である。
【図６】本発明に係る状況情報の他の例を示すデータ表である。
【図７】本発明に係る状況情報の更なる他の例を示すデータ表である。
【発明を実施するための形態】
【００１２】
以下に本発明の実施例を詳細に説明する。なお、以下の説明及び添付図面においては、実質的に同一又は等価な部分には同一の参照符号を付している。
【００１３】
以下の実施例においては、本発明に係る紙幣処理装置がＡＴＭである場合について説明する。
【００１４】
［紙幣処理システムの構成］
図１は、本実施例に係る紙幣処理システム１の構成を示すブロック図である。図２は実施例のＡＴＭ１０を示す構成図である。
【００１５】
紙幣処理システム１は、ＡＴＭ１０及び監視サーバＭＳを含み、ＡＴＭ１０、監視サーバＭＳ及びホストコンピュータＨＣはネットワークＮＷを介して互いに接続されている。ネットワークＮＷは例えば、有線回線及び無線回線を含む専用回線や公衆通信回線網等の通信回線である。
【００１６】
図１において、ＡＴＭ１０は１つ示されているが、ＡＴＭ１０は複数存在している。また、ＡＴＭ１０の各々は、それぞれ固有の装置ＩＤを保有し、監視サーバＭＳ及びホストコンピュータＨＣにより管理されている。ホストコンピュータＨＣは、暗証番号から顧客の台帳等を検索して取引処理を管理する勘定系システムある。監視サーバＭＳは、複数のＡＴＭに回線で接続され、ＡＴＭの運用状態、例えば、各ＡＴＭの取引状況、障害発生情報が通知され、媒体（紙幣、硬貨、明細票、通帳、振込みカ−ド等）の収納量の情報等の通知データを受け付け、これらデータを保持する。
【００１７】
監視サーバＭＳは、例えば、ＡＴＭ１０が設置されている銀行等の金融機関の店舗の外部において対応を行う、カスタマーセンタ等のオペレータ等が使用する端末、又は警備センタ等の警備員等が操作する端末等であってもよい。
【００１８】
［ＡＴＭ１０の内部構成］
ＡＴＭ１０は、電源部ＰＷ、主制御部ＭＣ、通信部ＮＩＣ、カード読取印刷部ＣＲＰ、操作表示部ＩＦＰＬ、紙幣入出金処理部ＢＬＬを備えている。本実施例では、ＡＴＭ１０は硬貨の入金処理及び出金処理を行う硬貨入出金部を備えない構成で説明するが、この紙幣入出金処理部の他に硬貨入出金部も備えた構成であってもよい。
【００１９】
電源部ＰＷは、商業電源の外部電源ＶＤを上流として電源供給を受けるユニット用ＤＣ電源であり、主制御部ＭＣ、通信部ＮＩＣ、カード読取印刷部ＣＲＰ、操作表示部ＩＦＰＬ、及び紙幣入出金処理部ＢＬＬの各ユニット部並びに紙幣の搬送部１７（図２）の各ユニット部への電力を供給する。例えば、電源部ＰＷは、ＡＴＭ１０の電源スイッチ（図示せず）、又は、主制御部ＭＣからの電源のオンオフ信号に応じて電力の供給のオンオフを行う。
【００２０】
なお、電源部ＰＷの下流にはバックアップ電源ＢＫＵＰが設けられ、バックアップ電源ＢＫＵＰは、処理部Ｐの各ユニット部へ電力供給を停止した場合であっても、必要な各ユニット部に必要な電力を供給する。バックアップ電源ＢＫＵＰは、外部電源ＶＤが供給されなくなった場合において、主制御部ＭＣ、通信部ＮＩＣ、紙幣入出金処理部ＢＬＬの紙幣収納庫ＢＳ（図２）、衝撃検知部ＩＭＤを使用するための緊急電源である。
【００２１】
衝撃検知部ＩＭＤは、振動センサＩＭＤａ及び温度センサＩＭＤｂ（図２）を含み、図示しないが、伝送路を介してこれらセンサからの信号を受信し、異常（破壊衝撃、高熱）を検知した際に衝撃信号を生成し、主制御部ＭＣに出力すると共に、防盗インクを紙幣に付着させる紙幣汚損機構ＩＳＭ（図２）を可動させる。
【００２２】
主制御部ＭＣはＣＰＵ（Central Processing Unit)、記憶部（例えば、ＲＯＭ（Read Only Memory）、ＲＡＭ（Random Access Memory）、ＨＤＤ（Hard Disk Drive）、ＳＳＤ（Solid State Drive）等）、入出力インタフェース部等から構成され、記憶部に格納された制御プログラム（ソフトウェア）に基づいて、電源部ＰＷ、通信部ＮＩＣ、カード読取印刷部ＣＲＰ、操作表示部ＩＦＰＬ、及び紙幣入出金処理部ＢＬＬの各ユニット部、紙幣の搬送部１７（図２）並びに紙幣汚損機構ＩＳＭ（図２）を制御する。なお、ＡＴＭ１０は固有の装置ＩＤを保持している故に、その記憶部に当該装置ＩＤが記憶されている。当該装置ＩＤは、例えば、異常であると判定されたＡＴＭ１０を特定するアドレス情報として用いられる。当該装置ＩＤの他に、例えば、設置場所（店舗番号）等をＡＴＭ１０の識別番号として主制御部ＭＣの記憶部に記憶されてもよい。
【００２３】
主制御部ＭＣは、操作表示部ＩＦＰＬを介した使用者の操作を受けて、出金処理、入金処理、集計処理等の機能を実行する。主制御部ＭＣは、カレンダー機能及び時計機能を有し、システムの基準となるシステム日時の日付と時刻を計時する共に勘定日、障害発生時を記憶部に記憶して日付を設定する日付設定機能（日付設定部Ｍ２）を有する。
【００２４】
主制御部ＭＣは、各種の情報を含む状況情報を生成し保持するとともに、例えば、ＡＴＭ１０の筐体に破壊衝撃が与えられた場合、すなわち、衝撃信号を受け付けた場合に通信部ＮＩＣを介して通知をも行うこともできる状況情報保持部ＭＣＡを含んでいる。
【００２５】
通信部ＮＩＣは、通信回線としてのネットワークに接続され、該ネットワークを介して監視サーバＭＳ、ホストコンピュータＨＣ等の上位装置と主制御部ＭＣとの間で通信を行う。通信部ＮＩＣは、主制御部ＭＣの指示に従って、外部とのデータの送受信等を行うためのＮＩＣ(Network Interface Card)等である。例えば、通信部ＮＩＣは、ＡＴＭ１０の精査制御及び取引制御において生ずるホストコンピュータＨＣ等の外部機器との通信を行う。これにより、ホストコンピュータＨＣは顧客情報等が格納されたデータベース（図示せず）を有しており、ＡＴＭ１０はこのデータベースにアクセスして顧客（ＡＴＭ１０を操作する使用者）との取引処理を行うことができる。
【００２６】
通信部ＮＩＣと上位装置との通信により、主制御部ＭＣの日付設定部Ｍ２は、上位装置から取得したシステム日時及び勘定日を含む日時情報を記憶部に記憶して日時及び日付を設定（同期設定）する。
【００２７】
カード読取印刷部ＣＲＰは、ＡＴＭ１０の前面側に設けられているカード挿入／排出口を有する。取引開始時に、使用者の取引カード等の記録媒体に格納されている情報を読み取り、読み取られた顧客データを主制御部ＭＣに供給する。カード読取印刷部ＣＲＰは、例えば、取引カードに記録されている使用者識別情報（例えば、氏名、口座番号等）を読み取る。なお、カード読取印刷部ＣＲＰは、磁気カード、ＩＣカード等様々な媒体から使用者識別情報等の情報を読取可能としてもよい。カード読取印刷部４は、主制御部ＭＣから供給された取引明細プリント信号に応じて、当該取引明細プリント信号にて表される取引結果を明細票用紙に印刷することができる。カード読取印刷部ＣＲＰは主制御部ＭＣからカード排出信号が供給された場合、取り込んだ取引カードをカード挿入排出口１７から排出する。
【００２８】
操作表示部ＩＦＰＬは、顧客からの操作受付、顧客への操作入力案内及び取引内容の表示等を行い、取引の際に、顧客の操作を受け付ける操作の状態等を表示する表示手段の機能する入力受付部である。操作表示部ＩＦＰＬは、液晶ディスプレイ等の表示画面とこれに重ねて設けた接触入力手段とを備えたタッチパネル等であり、表示画面に、顧客が入金処理や出金処理等を行うことを指示するための指示ボタン等を表示する機能を有している。
【００２９】
紙幣入出金処理部ＢＬＬは、図２に示すように、紙幣入出口部１１、紙幣一時保留部１２、リサイクルカセット１３、回収補充カセット１４、紙幣鑑別部１５、リジェクトカセット１６、これらに連結される紙幣搬送路を有する搬送部１７等で構成される。
【００３０】
紙幣入出口部１１は、紙幣が投入される紙幣投入口と内部に紙幣を収容する空間を有すると共に、紙幣を１枚ずつ紙幣搬送路（破線）へ順次送る場所である。また、紙幣入出口部１１は、入金の取り消しが行なわれたときに返却される紙幣、出金する出金紙幣、偽券等としてリジェクトされた入金リジェクト紙幣が出金（排出）される出金口ともなる。
【００３１】
紙幣一時保留部１２は、紙幣入出口部１１から取り込まれた紙幣又は紙幣入出口部１１へ排出される紙幣が一時的に集積、滞留される領域である。紙幣一時保留部１２は、例えば、入金紙幣又は出金紙幣の計数時に、一時的に紙幣を集積、滞留させることもできる。
【００３２】
リサイクルカセット１３は、紙幣入出口部１１から投入された金種毎の紙幣を収納する紙幣収納庫ＢＳである。例えば、リサイクルカセット１３として、千円紙幣を収納するカセット１３ａ、５千円紙幣を収納するカセット１３ｂ及び１万円紙幣を収納するカセット１３ｃ、１３ｄがセットされている。また、紙幣入出口部１１から紙幣が出金される場合、リサイクルカセット１３に収納されている紙幣が、紙幣入出口部１１に搬送されて出金される。なお、各カセットは、運用時には施錠されており、収納されている紙幣の抜き取りが防止される。
【００３３】
回収補充カセット１４は、ＡＴＭ１０への紙幣の回収、補充を行うための紙幣を収納する紙幣収納庫ＢＳである。
【００３４】
紙幣鑑別部１５は、ＡＴＭ１０内で搬送される紙幣が正券・偽券であるか、紙幣が損券、重送等であるか、紙幣が表面・裏面であるか等の紙幣の状態を鑑別する。紙幣鑑別部１５は、例えば、精査処理時又は入金時若しくは出金時に紙幣が搬送されるとき、当該搬送される紙幣を鑑別する。
【００３５】
入金時において、紙幣鑑別部１５による鑑別結果に応じて、正券の紙幣はリサイクルカセット１３に搬送される。また、紙幣鑑別部１５により重送等であると判断されたリジェクト紙幣は、リジェクトカセット１６に搬送される。
【００３６】
リジェクトカセット１６は、紙幣鑑別部１５により重送等の問題あると鑑別されたリジェクト紙幣を収納する紙幣収納庫ＢＳである。リジェクトカセット１６は、例えば、入金時に紙幣一時保留部１２からリサイクルカセット１３に搬送される際に鑑別されたリジェクト紙幣、リサイクルカセット１３から出金する際の搬送時に鑑別されたリジェクト紙幣等を集積する。
【００３７】
［カセットのアドレス情報］
リサイクルカセット１３、回収補充カセット１４及びリジェクトカセット１６の各々は、ＡＴＭ１０に着脱可能に装着される。これら紙幣収納庫ＢＳであるカセットの各々はＩＣタグｔｇを備え、これに個々のカセットを識別するために一意に付与されたカセットＩＤを予め記憶しておくことができる。各カセットが紙幣入出金処理部ＢＬＬに装着されると、ＩＣタグｔｇからＩＣタグリーダを介して主制御部ＭＣと紙幣収納庫ＢＳとの通信が可能になり、ＩＣタグｔｇに記憶されたカセットＩＤを主制御部ＭＣが読み出すことができる。
【００３８】
リサイクルカセット１３や回収補充カセット１４等の紙幣収納庫ＢＳを紙幣入出金処理部ＢＬＬに装着した場合、精査処理が手動又は自動で行われる。精査処理は、リサイクルカセット１３に収納されている紙幣の金種と枚数とを確定させる処理し記録する処理である。具体的には、精査処理は、リサイクルカセット１３の各々に収納されている紙幣を全て、一旦、繰り出して、紙幣の鑑別及び計数をし、その後、その紙幣を再び、該当カセットに戻すことで行う。これにより、紙幣収納庫ＢＳのカセット毎の収納枚数は精査処理時に計数され、カセットＩＤ毎にカセット収納枚数データとしてＡＴＭ１０にて管理される。この記憶されたカセット収納枚数データは、ＡＴＭ１０からネットワークＮＷを介して監視サーバＭＳ及びホストコンピュータＨＣから参照でき、カセットＩＤ（アドレス情報）を検索キーにして収納枚数を取得できる。
【００３９】
［防盗インク及び紙幣汚損機構］
本実施例のＡＴＭ１０に設けられている紙幣汚損機構ＩＳＭ（図２）は、紙幣収納庫ＢＳのカセットの各々に、破壊衝撃が検知される場合に防盗インクを紙幣に着色、すなわち紙幣を汚損する。以下において、汚損標識である防盗インクが紙幣収納庫であるカセット毎に異なる成分のインクが使用されて、それぞれ個別のインクＩＤ（標識ＩＤ情報）が割り当てられている場合を説明する。
【００４０】
紙幣汚損機構ＩＳＭは、例えば、水平姿勢で紙幣を収納する金庫横にインク噴射装置を取り付け、全紙幣に防盗インクを噴射するタイプでも、立位姿勢で紙幣を収納するカセット内部の上部にインクバッグを設けて、インクを重力によって滴下させるタイプでも、圧縮ガスを用いて噴射ノズルを収納ケース内部の全体に配置し、またガスの圧力によってインクを付着するタイプでも、その形式にとらわれない。
【００４１】
紙幣汚損機構ＩＳＭは、防盗インクを吐出する本体Ｐ（図２）に、防盗インクを保持するインクカートリッジＣ（インクＩＤ保持部：標識ＩＤ保持部）を着脱自在（交換可能）に装着する形式にすることができる。インクカートリッジＣはＩＣタグｔｇを備え、これに、インクを識別するために一意に付与されたインクＩＤを予め記憶しておくことができる。インクカートリッジＣが各カセットの紙幣汚損機構の本体Ｐに装着されると、ＩＣタグｔｇからＩＣタグリーダを介して主制御部ＭＣとの通信が可能になり、インクカートリッジＣのＩＣタグｔｇに記憶されたインクＩＤを主制御部ＭＣが読み出すことができる。このようにインクカートリッジＣは、紙幣収納庫ＢＳ毎に、防盗インクのインクＩＤ情報を保持することができる。
【００４２】
［インクＩＤ情報の管理］
上記の精査処理が手動又は自動で行われる精査処理において、主制御部ＭＣの状況情報保持部ＭＣＡは、紙幣収納庫ＢＳのＩＣタグｔｇに記憶されたカセットＩＤ（紙幣収納庫ＢＳの個体を特定するアドレス情報）を抽出（読み出し）と同時に、インクカートリッジＣのＩＣタグｔｇに記憶されたインクＩＤを抽出（読み出）し、記憶することができる。このように、インクＩＤ情報はカセットＩＤ（アドレス情報）と共にＡＴＭ１０にて管理される。例えば、図３に示すように、本実施例の紙幣処理装置及び紙幣処理システムにおいて、主制御部ＭＣの記憶部に、紙幣収納庫を識別するカセットＩＤと防盗インクのインクＩＤ（標識ＩＤ情報）とが一対一に対応付けられて保持される。さらに、図４に示すように、主制御部ＭＣの状況情報保持部ＭＣＡは、Ａ銀行の第１ＡＴＭにおける状況情報として、カセットＩＤ、インクＩＤの他に汚損状態、バッテリー状態を検出して生成し保持することができる。かかる状況情報の作成は、リサイクルカセット１３や回収補充カセット１４等の紙幣収納庫ＢＳを紙幣入出金処理部ＢＬＬに装着した場合に、例えば精査処理と共に手動又は自動で行われる。なお、状況情報として、図示しないが、ＡＴＭ１０は例えばログとして又はジャーナルで他の一部として保持することもできる。なお、汚損状態は紙幣の汚損の状況を示す状況情報として抽出され、防盗インクの紙幣への染み込み量の目安となるインク吐出量レベルを指標とすることができる。また、バッテリー状態は、バックアップ電源ＢＫＵＰの残量レベルを指標とすることができる。
【００４３】
この記憶されたインクＩＤ情報等の状況情報は、ＡＴＭ１０からネットワークＮＷを介して監視サーバＭＳ及びホストコンピュータＨＣに通知され、監視サーバＭＳ及びホストコンピュータＨＣは当該通知データを状況情報として保持することができる。それらの各端末から状況情報を参照でき、インクＩＤを検索キーにしてその出所データ（銀行等）を取得できる。
【００４４】
このように、精査処理等において、監視サーバＭＳ及びホストコンピュータＨＣから銀行側ではカセットのアドレス情報及びインクＩＤ情報を含む状況情報を確認できる。また、状況情報を保持しているので、通信回線か不通であってもインクＩＤ情報等の状況情報を、装置の画面の表示あるいはジャーナル（物媒体）の印字等で内容を確認して取得することができる。こように、精査処理を通して銀行側ではカセット設置時のインクＩＤ情報等の状況情報を確認できる。
【００４５】
［紙幣汚損機構の動作］
衝撃検知部ＩＭＤの振動センサＩＭＤａは、例えば、扉又はその周囲等のＡＴＭ１０内に設けられ、ＡＴＭ１０に印加された衝撃による振動を検知して、電気信号を出力する圧電セラミックス等を利用した衝撃センサである。振動センサＩＭＤａは、所定の変位量（ＡＴＭ１０を破壊しようとする破壊行為によって加えられた衝撃に起因する振動であると設定した閾値変位量）以上の振動を検知した場合、すなわち、破壊衝撃事象を検知したときに衝撃信号を生成し、主制御部ＭＣに出力する。
【００４６】
また、衝撃検知部ＩＭＤは、地震等のように装置が振動する場合、振動センサＩＭＤａは所定の変位量の振動を検知したら直ぐに警報するのではなく、一定時間に何回振動を検知したかをカウントするようなタイマ、カウント機構を備えた構成とすることもできる。
【００４７】
衝撃検知部ＩＭＤの温度センサＩＭＤｂは、例えば、特定の温度以上の温度を検知することができる温度センサである。ＡＴＭ１０がそれほど振動させられない状況で、ＡＴＭ１０の筐体をバーナー等で焼き切るような不正行為に対して有効である。温度センサＩＭＤｂは熱衝撃による所定高温を検知した場合、すなわち、破壊衝撃事象を検知したときに衝撃信号を生成し、主制御部ＭＣに出力する。なお、振動センサＩＭＤａや温度センサＩＭＤｂの設置はその設置場所や設置数の制限はない。
【００４８】
紙幣汚損機構ＩＳＭが衝撃信号に応じて汚損インクを紙幣へ付着させる場合に、主制御部ＭＣの状況情報保持部ＭＣＡは、汚損状況情報を生成しかつ状況情報を生成し保持する。ＡＴＭ１０の主制御部ＭＣは、ネットワークＮＷを介して監視サーバＭＳ及びホストコンピュータＨＣに汚損の状況情報を通知する。これにより、銀行側ではインク噴射時の標識ＩＤ情報を確認でき、中央銀行等の上位機関へ迅速に通知できる。例えば、図５（ｃ）に示すように、ＡＴＭ１０の主制御部ＭＣは、Ａ銀行の第１ＡＴＭにおける状況情報と共に汚損時刻も、状況情報保持部ＭＣＡは、汚損データ（状況情報）を生成しかつ状況情報を例えばログとして又はジャーナルで他の一部として保持する。このデータは、ＡＴＭ１０からネットワークＮＷを介して監視サーバＭＳ及びホストコンピュータＨＣに通知されるので、これらから検索でき、図５（ａ）（ｂ）（ｃ）に示すように、インクＩＤを検索キーにしてその出所データ（設置場所、銀行等）を確認できる。
【００４９】
このように、ＡＴＭ１０の主制御部ＭＣの記憶部に、紙幣収納庫を識別するカセットＩＤと防盗インクのインクＩＤ（標識ＩＤ情報）とが対応付けられて保持されるので、紙幣のインク汚損処理が行われても、インクＩＤ情報を確認して、中央銀行等の上位機関へ迅速に通知できる。
【００５０】
さらに、破壊衝撃事象により通信回線が遮断されている場合に、ＡＴＭ１０の状況情報保持部ＭＣＡは、汚損時刻を含む状況情報を保持しているので、当該通信回線が回復した後に、保持している状況情報を通信部ＮＩＣを介して監視サーバＭＳに出力する。
【００５１】
なお、本発明に係る紙幣処理装置としては、ＡＴＭの他、紙幣を取り扱う装置にも適用することができる。例えば、テラーキャッシャ及び紙幣計数機等についても適用することができる。
【００５２】
なお、本実施例では、カセットＩＤとインクＩＤとは１対１に対応付けらえる場合を例に挙げて説明したが、本発明はかかる例に限定されない。例えば、カセットＩＤとインクＩＤとはＮ対１の対応関係でも良い。より具体的には、例えば、同一金種の複数カセット１３ｃ、１３ｄに対し１つのインクＩＤを割り当てるとか、同一装置内の複数カセット１３ａ、１３ｂ、１３ｃ、１３ｄ、１４、１５に対し１つのインクＩＤを割り当てる等の場合が上記Ｎ対１の対応関係に該当する。例えば、図６に示すように、主制御部ＭＣの記憶部に、紙幣収納庫を識別するカセットＩＤと防盗インクのインクＩＤ（標識ＩＤ情報）とが四対一に対応付けられて保持されてもよい。また、カセットＩＤとインクＩＤとは１対Ｎの対応関係でも良い。より具体的には、例えば、１つのカセット１３に対し複数のインクＩＤを割り当てる（１つのカセット１３内に複数のインクカートリッジＣが備わる場合又は１つのインクカートリッジＣの汚損インクに複数のインクＩＤが割り当てられる場合も含む）等の場合が上記１対Ｎの対応関係に該当する。例えば、図７に示すように、主制御部ＭＣの記憶部に、紙幣収納庫を識別するカセットＩＤと防盗インクのインクＩＤ（標識ＩＤ情報）とが一対四に対応付けられて保持されてもよい。
【００５３】
なお、本実施例では、カセット１３は、リサイクルカセットの場合を例に挙げて説明したが、本発明はかかる例に限定されない。例えば、カセット１３は、入金専用のカセットや、出金専用のカセット、又は入金・出金・リサイクルカセットが混在している場合でも良い。
【符号の説明】
【００５４】
１  紙幣処理システム
１０  ＡＴＭ
ＭＣ  主制御部
ＭＣＡ  状況情報保持部
ＮＩＣ  通信部
ＭＳ  監視サーバ
【図１】
2019125159.tif 000003
【図２】
2019125159.tif 000004
【図３】
2019125159.tif 000005
【図４】
2019125159.tif 000006
【図５】
2019125159.tif 000007
【図６】
2019125159.tif 000008
【図７】
2019125159.tif 000009